(57)【要約】【課題】取付孔の箇所が低くなっている段差のある支持パネルに電線束を配索する際に部品の破損や分離が起こり難くかつ連結部の保持力が向上したバンドクリップ等を提供する。【解決手段】バンド本体１０と、クリップ本体２０と、バンド本体１０とクリップ本体２０とを連結する連結部２６と、を備え、連結部２６は、皿部２３と一体に設けられた固定ブロック２４と、固定ブロック２４が嵌合される凹部１６が形成され、バンド部固定部１２と一体に設けられたスライドブロック１４と、を有し、固定ブロック２４は、両側面に互いに平行な複数の凸条部２５が形成され、スライドブロック１４は、固定ブロック２４の両側面に対応する凹部の内面に、凸条部２５に係合する凹条部１５が形成され、凸条部２５と凹条部１５は、スライドブロック１４が固定ブロック２４に深く嵌合する方向にスライド可能でその逆方向にはスライド不可能に係合する。【選択図】図１
2017153186.tif 000002
【特許請求の範囲】
【請求項１】
電線束に巻付けられるバンド部と、前記バンド部の基端を固定しかつ先端部側をロックするバンド部固定部と、を有するバンド本体と、
アンカー部と皿部とで支持パネルの取付孔に係止されるクリップ本体と、
前記バンド本体と前記クリップ本体とを連結する、連結長を変更可能な連結部と、を備え、
前記連結部は、前記皿部と一体に設けられた固定ブロックと、前記固定ブロックが嵌合される凹部が形成され、前記バンド部固定部と一体に設けられたスライドブロックと、を有し、
前記固定ブロックは、両側面に互いに平行な複数の凸条部が形成され、前記スライドブロックは、前記固定ブロックの前記両側面に対応する前記凹部の内面に、前記凸条部に係合する凹条部が形成され、前記凸条部と前記凹条部は、前記スライドブロックが前記固定ブロックに深く嵌合する方向にスライド可能でその逆方向にはスライド不可能に係合することを特徴とするバンドクリップ。
【請求項２】
前記固定ブロックの別の一側面の上部に第１ロック部が形成され、前記固定ブロックの前記第１ロック部に対応する前記スライドブロックの前記凹部の内面下部に、前記第１ロック部に解除可能に係止する第２ロック部が形成されたことを特徴とする請求項１に記載のバンドクリップ。
【請求項３】
電線束と、請求項１または２に記載のバンドクリップとを備え、前記バンドクリップの前記バンド本体で前記電線束が抱持されたことを特徴とするワイヤハーネス。
【発明の詳細な説明】
【技術分野】
【０００１】
本発明は、バンドクリップおよびこれを備えたワイヤハーネスに関する。
【背景技術】
【０００２】
従来、車両内にワイヤハーネスを配索するためにバンドクリップが用いられている。従来の一般的なバンドクリップは、バンド本体とクリップ本体とを有する。バンド本体は、バンド部と、バンド部の基端を固定しかつ先端部側をロックするバンド部固定部と、を有する。クリップ本体は、バンド部固定部と一体の皿部と、皿部と一体のコラム部と、コラム部と一体のアンカー部とを有する。
【０００３】
上記構成のバンドクリップは、支持パネルの取付孔から電線束までの離間距離が大きい箇所では、アンカー部が取付孔に届かず適用することができない。
【０００４】
具体的に説明すると、車両内における電線束の配索経路には、支持パネルの取付孔を有する部位の高さレベルが配索方向にオフセットした他の部位の高さレベルよりも大きく落ち窪んでいる箇所が存在する。すなわち、支持パネルの取付孔の位置では、支持パネルから電線束までの離間距離が大きく、支持パネルの取付孔からオフセットした位置では、支持パネルの取付孔から電線束までの離間距離が小さいという状況にある。この状況の取付孔に、従来の一般的なバンドクリップを適用し、アンカー部を接近させていくと、接近途中で、電線束におけるバンド本体により抱持された位置からオフセットした位置が、支持パネルにおける取付孔からオフセットした部位に先に当接してしまう。このため、アンカー部が取付孔に届かず、従来のバンドクリップを適用することができない。
【０００５】
上記のような場合、従来は、例えば、特許文献１に示すバンドクリップを適用することができる。図７に示すバンドクリップ３６は、特許文献１に示すものと実質的に同一の構成であり、バンド本体３７とクリップ本体３８とが、水平方向にオフセットしていて、かつ上下方向に相対的にスライド可能に連結されている。
【０００６】
このバンドクリップ３６は、枝線３５が幹線３４から上方に延びかつ幹線３４が大径部分３４ａと小径部分３４ｂとに径サイズを大きく変化しているような電線束３３を、その大径部分３４ａにおける支持パネル３１から電線束までの離間距離が小さくなるように配索する必要があるときに適用される。すなわち、バンドクリップ３６は、大径部分３４ａに対応する位置でバンド本体３７により電線束３３を抱持し、小径部分３４ｂに対応する位置に設けられた取付孔３２に対してクリップ本体３８が装着され、バンド本体３７側をクリップ本体３８側に対して相対的に押し下げるように装着されている。
【先行技術文献】
【特許文献】
【０００７】
【特許文献１】特開２０１５−５３７８３号公報
【発明の概要】
【発明が解決しようとする課題】
【０００８】
しかしながら、特許文献１に記載の技術にあっては、バンド本体３７はクリップ本体３８から水平方向にオフセットしており、スライド連結部の一側面でのみスライド可能に連結する片持ち型の構造であった。このため、支持パネルの取付孔３２と配索される電線束３３との高さレベルの違い（段差）に対応するために、バンド本体３７を押し下げてスライド連結部で下方にスライドさせる際に、アンカー部に過度の応力が集中しアンカー部が破損する懸念があった。また、バンド本体３７を押し下げる作業によりストローク限界を越えてバンド本体３７とクリップ本体３８とが分離してしまうという問題もあった。さらに、バンド本体３７が押し下げられるにつれ、スライド連結部における係合面積が減っていくので、スライド連結部における保持力が確保し難いという問題もあった。
【０００９】
本発明は、上述のような課題を解決するためになされたもので、取付孔の箇所が低くなっている段差のある支持パネルに電線束を配索する際に部品の破損や分離が起こり難くかつ連結部の保持力が向上したバンドクリップおよびこれを備えたワイヤハーネスを提供することを目的とする。
【課題を解決するための手段】
【００１０】
本発明に係るバンドクリップは、上記目的達成のため、電線束に巻付けられるバンド部と、前記バンド部の基端を固定しかつ先端部側をロックするバンド部固定部と、を有するバンド本体と、アンカー部と皿部とで支持パネルの取付孔に係止されるクリップ本体と、前記バンド本体と前記クリップ本体とを連結する、連結長を変更可能な連結部と、を備え、前記連結部は、前記皿部と一体に設けられた固定ブロックと、前記固定ブロックが嵌合される凹部が形成され、前記バンド部固定部と一体に設けられたスライドブロックと、を有し、前記固定ブロックは、両側面に互いに平行な複数の凸条部が形成され、前記スライドブロックは、前記固定ブロックの前記両側面に対応する前記凹部の内面に、前記凸条部に係合する凹条部が形成され、前記凸条部と前記凹条部は、前記スライドブロックが前記固定ブロックに深く嵌合する方向にスライド可能でその逆方向にはスライド不可能に係合する構成である。
【００１１】
この構成により、スライドブロックが固定ブロックから最大限引き出された状態でバンド本体により電線束を抱持し、アンカー部を支持パネルの取付孔に係止させるとともに、スライドブロックを押し下げることで、所望の高さ位置で電線束を保持することができる。すなわち、スライドブロックの押し下げに伴い、スライドブロックと固定ブロックとの係合面積が増えていくので、連結部での保持力を確保し易い。また、固定ブロックの両側面に凸条部が形成されて、スライドブロック側の凹条部と係合するよう構成されているので、特許文献１に記載のように１側面でのみ片持ち式でスライド連結された構成に比べて、連結部での保持力が向上している。また、バンド本体とスライド本体とが水平方向にオフセットしていないので、アンカー部に応力が集中することもない。これにより、段差のある支持パネルに対して電線束の配索作業を行うとき、クリップ本体が破損する可能性を低減できる。しかも、電線束の配索作業では、スライドブロックが押し下げられ、固定ブロックに深く嵌合する方向にスライドするので、配索作業でバンド本体とクリップ本体が分離してしまうこともない。
【００１２】
また、前記固定ブロックの別の一側面の上部に第１ロック部が形成され、前記固定ブロックの前記第１ロック部に対応する前記スライドブロックの前記凹部の内面下部に、前記第１ロック部に解除可能に係止する第２ロック部が形成された構成としてもよい。
【００１３】
この構成により、スライドブロックが固定ブロックから最大限引き出された状態で解除可能に保持される。これにより、電線束の配索作業前に、スライドブロックが固定ブロックから抜け出ることがなく、かつ、誤ってスライドブロックが固定ブロックに深く嵌合する方向にスライドしてしまうことも防止できる。
【００１４】
本発明に係るワイヤハーネスは、電線と、前記バンドクリップとを備え、前記バンドクリップの前記バンド本体で前記電線が抱持された構成である。
【発明の効果】
【００１５】
本発明によれば、取付孔の箇所が低くなっている段差のある支持パネルに電線束を配索する際に部品の破損や分離が起こり難くかつ連結部の保持力が向上したバンドクリップおよびこれを備えたワイヤハーネスを提供することができる。
【図面の簡単な説明】
【００１６】
【図１】本発明の実施の形態に係るバンドクリップを示す概略正面図である。
【図２】本発明の実施の形態に係るクリップ本体および固定ブロックの概略斜視図である。
【図３】図３（ａ）は本発明の実施の形態に係るクリップ本体および固定ブロックの概略平面図であり、図３（ｂ）はその概略正面図である。
【図４】本発明の実施の形態に係るバンド本体およびスライドブロックの概略斜視図である。
【図５】図５（ａ）は本発明の実施の形態に係るバンド本体およびスライドブロックの概略平面図であり、図５（ｂ）はその概略正面図である。
【図６】本発明の実施の形態に係るワイヤハーネスを支持パネルに配索する方法を示す説明図であり、図６（ａ）はアンカー部を支持パネルの取付孔に挿入した直後の状態を示し、図６（ｂ）は電線束が支持パネルに接触するまでスライドブロックを押し下げた状態を示す。
【図７】特許文献１に記載されたバンドクリップの構成を示す説明図である。
【発明を実施するための形態】
【００１７】
以下、本発明の実施の形態について、図面を参照して説明する。
【００１８】
本実施の形態に係るバンドクリップ１は、車両内等で段差のある支持パネル３に電線束２を配索する際に電線束２の配索経路を規制するためのものである。このバンドクリップ１は、バンド本体１０と、クリップ本体２０と、バンド本体１０とクリップ本体２０とを連結する連結部２６と、を備えている。
【００１９】
バンド本体１０は、電線束２に巻付けられるバンド部１１と、バンド部１１の基端を固定しかつ先端部側をロックするバンド部固定部１２と、を有している。バンド本体１０は、合成樹脂製の一体成形品である。
【００２０】
電線束２は、複数の被覆電線がテープ巻き等で束ねられ、その上にコルゲートチューブなどの外装品が外装されたものであるが、本明細書および特許請求の範囲で電線束というときは、コルゲートチューブなどの外装品を外装していないものも含む。
【００２１】
バンド部１１は、電線束２に巻付けられて電線束２を抱持できる長さを有し、先端部の一表面にロック用凹凸部が形成されている。バンド部固定部１２の側面には、バンド挿通孔１２ａが形成されており、バンド挿通孔１２ａの挿通孔下面にはロック用凹凸部が形成されている。そして、バンド部１１が電線束２に巻付けられ、先端部側がバンド挿通孔１２ａに挿通され、バンド部１１側のロック用凹凸部と、バンド挿通孔１２ａ側のロック用凹凸部とが係合して電線束２の抱持状態がロックされるようになっている。
【００２２】
クリップ本体２０は、アンカー部２１と皿部２３とで支持パネル３の取付孔４に係止されるように構成されている。クリップ本体２０は、合成樹脂製の一体成形品である。
【００２３】
具体的には、クリップ本体２０は、アンカー部２１と、一端部がアンカー部２１と一体に設けられた柱状のコラム部２２と、コラム部２２の他端部と一体に設けられた皿部２３と、を備えている。アンカー部２１は、その後端部が取付孔４より若干大きい径を有し、取付孔４への挿入時には外周部が弾性変形して取付孔４を通過できるが、通過後は後端部が取付孔４周縁に当たって抜けないようになっている。皿部２３は、アンカー部２１とは反対側で、外縁部が支持パネル３に当接してクリップ本体２０を支持している。
【００２４】
連結部２６は、バンド本体１０とクリップ本体２０とを連結するものであり、連結長を変更可能な構成となっている。連結長とは、連結部２６の上下方向の長さをいう。連結長を変更することができるので、クリップ本体２０からバンド本体１０までの離間距離を調整できる構成となっている。
【００２５】
連結部２６は、皿部２３と一体に設けられた樹脂製の固定ブロック２４と、固定ブロック２４が嵌合される凹部１６が形成され、バンド部固定部１２と一体に設けられた樹脂製のスライドブロック１４と、を有している。固定ブロック２４とスライドブロック１４との嵌合の深さを変更することにより、連結長を変更できる構成となっている。
【００２６】
具体的には、固定ブロック２４は、その両側面２４ａ、２４ａに互いに平行な複数の凸条部２５が形成されている。また、スライドブロック１４は、固定ブロック２４の上記両側面２４ａ、２４ａにそれぞれ対応する凹部１６の内面に、凸条部２５に係合する凹条部１５が形成されている。
【００２７】
固定ブロック２４は、皿部２３と同じ幅（図３（ａ）のＹ方向の幅）を有する直方体形状のブロックである。固定ブロック２４のこの幅は、連結部２６で必要とされる保持力に応じて、皿部２３の幅より狭めても拡げてもよい。
【００２８】
スライドブロック１４は、固定ブロック２４が嵌合される凹部１６を有している。具体的には、スライドブロック１４は、固定ブロック２４の直方体形状のブロックを隙間嵌めで嵌め込める直方体形状の凹部１６を有している。
【００２９】
また、固定ブロック２４側の凸条部２５とスライドブロック１４側の凹条部１５は、スライドブロック１４が固定ブロック２４に深く嵌合する方向にスライド可能でその逆方向にはスライド不可能に係合するように構成されている。
【００３０】
図３（ｂ）に示すように、固定ブロック２４側の複数の凸条部２５は、歯先が下向きの断面略鋸歯形状を有している。具体的には、各凸条部２５は、略水平な面２５ａと傾斜した面２５ｂとで鋸歯の１山を構成している。
【００３１】
スライドブロック１４側の複数の凹条部１５は、図５（ｂ）に示すように、固定ブロック２４側の断面略鋸歯形状の複数の凸条部２５に対応する形状を有している。具体的には、各凹条部１５は、略水平な面１５ａと傾斜した面１５ｂとで鋸歯の１山が嵌るように構成されている。
【００３２】
スライドブロック１４が固定ブロック２４に深く嵌合する方向には、固定ブロック２４側の凸条部２５が、その傾斜した面２５ｂをスライドブロック１４側の凹条部１５の傾斜した面１５ｂに摺接させつつ乗り越えることで、スライドできる構成となっている。一方、その逆の方向には、固定ブロック２４側の凸条部２５が、その略水平な面２５ａをスライドブロック１４側の凹条部１５の略水平な面１５ａに突き当てる状態になるので、スライドできない構成となっている。
【００３３】
本実施形態では、凸条部２５と凹条部１５の断面形状が略鋸歯形状であるが、形状はこれに限定されない。歯先が下向きの任意の断面形状のものを採用でき、要は、スライドブロック１４が固定ブロック２４に深く嵌合する方向にスライドでき、その逆方向にはスライドできないような形状ならばどんな断面形状のものでもよい。
【００３４】
次に、スライドブロック１４が固定ブロック２４から最大限引き出された状態でロックするための構成について説明する。
図３（ｂ）に示すように、固定ブロック２４の別の一側面２４ｂの上部に第１ロック部２８が形成されている。また、図５（ｂ）に示すように、固定ブロック２４の第１ロック部２８に対応するスライドブロック１４の凹部１６の内面下部に、第１ロック部２８に解除可能に係止する第２ロック部１８が形成されている。
【００３５】
具体的には、固定ブロック２４側の第１ロック部２８は２つの凸状部が上下方向に所定間隔で設けられたものであり、スライドブロック１４側の第２ロック部１８は、第１ロック部２８の２つの凸状部の間の凹状部に係止する１つの凸状部である。また、第１ロック部２８を２つの凸状部とし、第２ロック部１８を１つの凸状部としてもよい。アンカー部２１を支持パネル３の取付孔４に係止する前は、スライドブロック１４が固定ブロック２４から最大限引き出された状態になっている。このとき、スライドブロック１４側の第２ロック部１８の凸状部は、固定ブロック２４側の第１ロック部２８の２つの凸状部の間の凹状部に嵌って該状態をロックしている。すなわち、スライドブロック１４が固定ブロック２４から抜け出ることが防止され、かつスライドブロック１４が固定ブロック２４に深く嵌合する方向にスライドすることが防止される構成となっている。ロック状態において、スライドブロック１４に下向きに所定の外力が作用すると、第２ロック部１８の凸状部が第１ロック部２８の凸状部を乗り越えて、下向きにスライドできるようになっている。
【００３６】
本発明の本実施の形態に係るワイヤハーネスＷは、電線束２と、上記のバンドクリップ１とを備え、バンドクリップ１のバンド本体１０で電線束２が抱持されている。
【００３７】
次に、本実施の形態に係るバンドクリップ１を用いて電線束２を段差のある支持パネル３に配索する方法を説明する。
図６（ａ）はアンカー部２１を支持パネル３の取付孔４に挿入する前の状態を示し、図６（ｂ）は挿入後にスライドブロック１４を押し下げた状態を示す。
【００３８】
まず、図６（ａ）に示すように、支持パネル３への取付前、バンドクリップ１は、連結部２６においてスライドブロック１４が固定ブロック２４に所要外力の作用下で最大限引き出された状態、すなわち連結長が最長の状態になっている。また、バンド部１１で電線束２を抱持しておく。
【００３９】
次に、図６（ｂ）に示すように、クリップ本体２０を支持パネル３の取付孔４に係止する。このときはまだ、電線束２は支持パネル３の高段部に接触していない。次に、電線束２を下に押し下げることで、スライドブロック１４が固定ブロック２４に嵌り込んでいく方向にスライドしていく。電線束２が支持パネル３の高段部に当接するまでスライドブロック１４を固定ブロック２４内にスライドさせる。このようにして、スライドブロック１４がスライド可能な範囲で、電線束２の配索段差が解消される。
【００４０】
次に、作用・効果について説明する。
上述したように、本発明の実施形態に係るバンドクリップ１は、スライドブロック１４が固定ブロック２４から最大限引き出された状態でバンド本体１０により電線束２を抱持し、アンカー部２１を支持パネル３の取付孔４に係止させる。その後または同時に、スライドブロック１４を押し下げることで、所望の高さ位置で電線束２を保持することができる。スライドブロック１４の押し下げに伴い、スライドブロック１４と固定ブロック２４との係合面積が増えていくので、連結部２６での十分な保持力を確保し易い。
【００４１】
また、固定ブロック２４の両側面２４ａ、２４ａに凸条部２５が形成されて、スライドブロック１４側の凹条部１５と係合するよう構成されているので、特許文献１に記載のように１側面でのみ片持ち式でスライド連結された構成に比べて、連結部２６での保持力が向上している。
【００４２】
また、バンド本体１０とクリップ本体２０とが水平方向にオフセットしていないので、アンカー部２１に応力が集中することもない。これにより、段差のある支持パネル３に対して電線束２の配索作業を行うとき、クリップ本体２０が破損する可能性を低減できる。
【００４３】
しかも、電線束２の配索作業では、スライドブロック１４が押し下げられ、固定ブロック２４に深く嵌合する方向にスライドするので、配索作業でバンド本体１０とクリップ本体２０が分離してしまうこともない。
【００４４】
電線束２の配索作業前は、スライドブロック１４が固定ブロック２４から最大限引き出された状態にあるが、第１ロック部２８に第２ロック部１８が係止することで該状態が解除可能にロックされている。これにより、電線束２の配索作業前に、スライドブロック１４が固定ブロック２４から抜け出ることがなく、かつ、誤ってスライドブロック１４が固定ブロック２４に深く嵌合する方向にスライドしてしまうことも防止できる。
【００４５】
また、本実施の形態に係るワイヤハーネスＷは、電線束２と、バンドクリップ１とを備え、バンドクリップ１のバンド本体１０で電線束２を抱持した構成であるので、バンドクリップ１について上述した効果と同様の効果を奏する。
【００４６】
本発明は、取付孔の箇所が低くなっている段差のある支持パネルに電線束を配索する際に部品の破損や分離が起こり難くかつ連結部の保持力が向上するという効果を有し、バンドクリップおよびこれを備えたワイヤハーネスの全般に有用である。
【符号の説明】
【００４７】
１  バンドクリップ
２  電線束
３  支持パネル
４  取付孔
１０  バンド本体
１１  バンド部
１２  バンド部固定部
１４  スライドブロック
１５  凹条部
１６  凹部
１８  第２ロック部
２０  クリップ本体
２１  アンカー部
２３  皿部
２４  固定ブロック
２５  凸条部
２６  連結部
２８  第１ロック部
【図１】
2017153186.tif 000003
【図２】
2017153186.tif 000004
【図３】
2017153186.tif 000005
【図４】
2017153186.tif 000006
【図５】
2017153186.tif 000007
【図６】
2017153186.tif 000008
【図７】
2017153186.tif 000009